(57)【特許請求の範囲】
【請求項１】
倒立状態のエアゾール容器（Ｂ）の上端を嵌着固定する容器体嵌合部（ｘ）と、ステム（102 ）を押込み状態で嵌合させる噴出孔（９）を備えたステム嵌合部（ｙ）とを頂部に備え、内部に噴出されたガスを外部に排出する排出口（12）を備えた下端開口の有頂筒状をなすキャップ本体（A1）と、容器体嵌合部（ｘ）及びステム嵌合部（ｙ）を被覆してキャップ本体（A1）上端部に離脱可能に嵌合させた蓋体（A2）とからなり、容器体嵌合部（ｘ）を、周縁部の一部を内外方向の弾性的な揺動が可能な係止板（５）により形成し、係止板（５）内面とエアゾール容器（Ｂ）の上端部とを凹凸係合手段により係合させてなり、取り外した蓋体（A2）を、キャップ本体（A1）内下部に、上下を遮断して嵌着可能に構成したことを特徴とするガス抜き構造付きエアゾールキャップ。
【請求項２】
蓋体（A2）裏面に液吸収部材（Ｄ）を嵌着固定した請求項１に記載のガス抜き構造付きエアゾールキャップ。
【請求項３】
上記蓋体（A2）が、容器体嵌合部（ｘ）の底部を貫通して垂設した押圧板（22）を備え、押圧板（22）の押し上げにより係合が外れる如く構成した請求項１又は請求項２のいずれかに記載のガス抜き構造付きエアゾールキャップ。
【請求項４】
前記ステム嵌合部（ｙ）が、対向する一対の押圧突起（８）を底部に備え、各押圧突起（８）両側の対向する底部に一対の噴出孔（９）を開口してなる請求項１乃至請求項３のいずれかに記載のガス抜き構造付きエアゾールキャップ。
【発明の詳細な説明】
【技術分野】
【０００１】
本発明はエアゾールキャップに関し、詳しくは、収納液の排出後に容器体内の残ガスを排除するガス抜き構造を備えたエアゾールキャップに関する。
【背景技術】
【０００２】
エアゾール容器のガスは収納液の噴出後にも残っているのが一般的であり、これらを容器体内に残存したまま廃棄すると爆発等の不都合が生じる。そのため、使用後に残ガスを排出するガス抜き構造を備えたエアゾールキャップが種々提案されている。（例えば，特許文献１参照）
【０００３】
上記キャップは、キャップ天面部に、エアゾール容器上部の適宜部位に係合可能な係合部と、エアゾール容器のステム先端部を挿入可能であり、かつステムの中間部より根元寄り部位を孔開口縁にて係止可能なステム挿入係止孔とを備えたエアゾール容器用キャップであって、エアゾール容器のステム先端部をステム挿入係止孔に挿入すると共に、エアゾール容器上部の適宜部位に係合部を係着させると、ステム先端部はステム挿入係止孔を突き抜けてキャップ内に位置し、ステムの中間部より根元寄り部位がステム挿入係止孔の開口縁に係止されてステムが噴射状態に維持される構成を備えている。
【特許文献１】特開２００７−３１４２５０号公報
【発明の開示】
【発明が解決しようとする課題】
【０００４】
上記キャップは、エアゾール容器内の液を使い切った後残ガスを排出するのに便利であり、爆発等の危険を排除したエアゾール容器の廃棄が可能となる。しかしながら、残ガスの排出に当たり、容器体内には若干の液が残存する場合も多々ある。例えば、収納ガスの減少に伴いガス圧が低下し、それに伴って液の噴出力も低下して液が残る。その場合には、残液が噴出するガスとともに噴出されて、キャップを載置した机等を汚すという不都合が生じる。特に収納液が着色液やヘヤースプレー等の接着作用が大きいものについては後始末が誠にやっかいとなる。そのため、ガス排出の際にキャップ内にティシュペーパー等を充填してそれらの被害をくい止めることも行われているが、操作がやっかいであるばかりでなく、完璧に洩れを防止するのも至難である。
【０００５】
本発明は上記した点に鑑みてなされたものであり、簡単な操作で残ガスの排出を行えるとともに、残液があった場合でも周囲を汚す等の不都合を防止できるエアゾールキャップを提案する。
【課題を解決するための手段】
【０００６】
第１の手段として、以下の通り構成した。即ち、倒立状態のエアゾール容器Ｂの上端を嵌着固定する容器体嵌合部ｘと、ステム102 を押込み状態で嵌合させる噴出孔９を備えたステム嵌合部ｙとを頂部に備え、内部に噴出されたガスを外部に排出する排出口12を備えた下端開口の有頂筒状をなすキャップ本体A1と、容器体嵌合部ｘ及びステム嵌合部ｙを被覆してキャップ本体A1上端部に離脱可能に嵌合させた蓋体A2とからなり、容器体嵌合部ｘを、周縁部の一部を内外方向の弾性的な揺動が可能な係止板５により形成し、係止板５内面とエアゾール容器Ｂの上端部とを凹凸係合手段により係合させてなり、取り外した蓋体A2を、キャップ本体A1内下部に、上下を遮断して嵌着可能に構成した。
【０００８】
第２の手段として、以下の通り構成した。即ち、前記第１の手段に於いて、蓋体A2裏面に液吸収部材Ｄを嵌着固定した。
【０００９】
第３の手段として、以下の通り構成した。即ち、前記第１の手段又は第２の手段のいずれかの手段に於いて、上記蓋体A2が、容器体嵌合部ｘの底部を貫通して垂設した押圧板22を備え、押圧板22の押し上げにより係合が外れる如く構成した。
【００１０】
第４の手段として、以下の通り構成した。即ち、前記第１の手段乃至第３の手段のいずれかの手段に於いて、前記ステム嵌合部ｙが、対向する一対の押圧突起８を底部に備え、各押圧突起８両側の対向する底部に一対の噴出孔９を開口してなる。
【発明の効果】
【００１１】
本発明のエアゾールキャップは、取り外した蓋体A2を、キャップ本体A1内下部に、上下を遮断して嵌着可能に構成しているため、液を使い切った後に残ガスを排出する際に、たとえ容器体内に液が残っていても、周囲にまき散らすという不都合を確実に防止できるという利点を備えている。また、残ガスをエアゾール容器Ｂから排出する際には、エアゾール容器Ｂを倒立させてその上端部及びステムをそれぞれ容器体嵌合部ｘ及びステム嵌合部ｙに嵌合させるという簡単な操作で行えるため、使い勝手も極めて良い。
【００１２】
容器体嵌合部ｘを、周縁部の一部を内外方向の弾性的な揺動が可能な係止板５により形成し、係止板５内面とエアゾール容器Ｂの上端部とを凹凸係合手段により係合させる如く構成した場合には、エアゾール容器Ｂの装着固定がより容易となる。
【００１３】
蓋体A2裏面に液吸収部材Ｄを嵌着固定した場合には、エアゾール容器Ｂに残液があっても噴出された残液が吸収され、例えば、蓋板20周囲の嵌合部分から滲み出してくる等の不都合も確実に防止でき、更なる有効な残液の処理を行える。
【００１４】
上記蓋体A2が、容器体嵌合部ｘの底部を貫通して垂設した押圧板22を備え、押圧板22の押し上げにより係合が外れる如く構成した場合には、蓋体A2をキャップ本体A1からの取り外す際に押圧板22の押し上げにより容易に取り外すことができる。
【００１５】
前記ステム嵌合部ｙが、底部に対向する一対の押圧突起８を備え、各押圧突起８両側の対向する底部に噴出孔９を開口してなる如く構成した場合には、エアゾール容器Ｂを装着した際に、ガス圧で装着した蓋体A2が外れる等の不都合を防止できる利点がある。
【発明を実施するための最良の形態】
【００１６】
以下、本発明の実施例の形態を図面を参照して説明する。
【００１７】
図１乃至図４は本発明のガス抜き構造付きエアゾールキャップＡの一例を示すもので、エアゾールキャップＡは、キャップ本体A1と、蓋体A2とを備えている。
【００１８】
エアゾールキャップＡは、エアゾール容器Ｂに着脱自在に装着して使用する。エアゾール容器Ｂは、胴部100 上端部を縮径して、その外周縁に下向き段部101 を周設している。また、上面中央からはステム102 を上方付勢状態で押込み可能に突設しており、該ステムの押込みにより内蔵吐出弁が開いてガス圧で収納液を噴出する如く構成した公知の噴出機構を備えている。また、このステム102 には公知の噴出ヘッドＣを嵌着して使用する。
【００１９】
キャップ本体A1は、周壁２内上端部に、蓋体A2の後述する蓋板の肉厚程度低い位置に頂壁３を横設している。頂壁３にはエアゾール容器Ｂの上端部が嵌合する容器体嵌合部ｘを設けている。容器体嵌合部ｘは、一部の周面部を独立した係止板で形成し、係止板は内外方向への弾性的な揺動が可能に構成している。本例では、図３に示す如く、容器体嵌合部ｘを、凹部４を構成する円形部4aと、円弧状の係止板５とで画成している。凹部４は、頂壁３を下方へ凹ませて形成した円形部4aと、円形部4aの周縁より周方向等間隔に三箇所延設した放射状部4bとから構成され、また、係止板５は、各放射状部4bの内側縁部にそれぞれ円形部4aの周面と略同一曲面上である内面を備えて起立させている。更に、各係止板５の上端縁には、その内側にそれぞれ凹凸係合手段を構成する係止突条６を突設している。また、各係止板５の下端縁に沿って、その内方に円弧帯状の窓孔７をそれぞれ穿設している。各窓孔７はキャップ本体A1内に噴出されたガスを外部に排出する排出口12の役割も果たす。
【００２０】
容器体嵌合部ｘの中央にはステム嵌合部ｙを凹設している。ステム嵌合部ｙの底部には対向する一対の押圧突起８を突設している。押圧突起８は、エアゾール容器Ｂの上端部を容器体嵌合部ｘに嵌合させた状態でステム102 をステム嵌合部ｙに嵌合させた際に、ステム102 を所定の押込み幅に押し込んで内蔵吐出弁を開弁する如く構成している。また、各押圧突起８の両側の対向する底部に一対の噴出孔９を穿設している。これによりステム102 の開口位置よりズレた位置に噴出孔９が存在し、圧が直接下方に伝達しない様に構成している。
【００２１】
また、周壁２の内周には蓋体A2の係止手段としての係止リブ10と、係止突起11とを突設している。係止リブ10は、周壁２の上部に、下端を所定の位置に合わせて周方向複数突設しており、また、係止突起11は、各係止リブ10の下端縁と所定の間隔をあけた位置に、周方向複数突設している。尚、蓋体A2の係止手段はこれに限られず、蓋体A2をキャップ本体A1内の所定位置に、上下を遮断して係止できれば種々採用できる。
【００２２】
蓋体A2は、周縁部を凹部４以外の頂壁３の上面及び各係止板５上に載置して嵌合させた蓋板20と、蓋板20の下面から垂設し、円形部4aに嵌合する筒部21と、筒部21の下面より垂設して、それぞれ各窓孔７内を貫通して垂下する押圧板22とを備えている。各押圧板22の外面上部には各係止板５の係止突条６と係合して凹凸係合手段を構成する係合突条23をそれぞれ突設している。
【００２３】
また、筒部21内には液吸収部材Ｄを嵌着している。液吸収部材Ｄとしては、例えば、濾紙やスポンジ等の液の吸収が可能な材質であれば種々採用でき、シート状に筒部21内に固定すれば良い。
【００２４】
上記の如く構成したエアゾールキャップＡを使用する場合について説明する。エアゾール容器Ｂ内の液が無くなったと判断した場合に、図１の状態からエアゾールキャップＡを取り外し、次いで、押圧板22を下方より押し上げることにより各係止突条６と係合突条23との係合を解除して蓋体A2を上方へ押し上げ、キャップ本体A1から外す。更に、取り外した蓋体A2を逆さまにしてその周縁部を各係止リブ10と係止突起11との間に挟持させ、図４に示す如く、キャップ本体A1に装着する。そして、噴出ヘッドＣを外したエアゾール容器Ｂを倒立させ、エアゾール容器Ｂの上端部を容器体嵌合部ｘに嵌合させる。その際各係止板５の係止突条６がエアゾール容器Ｂの下向き段部101 に係合する。
【００２５】
また、ステム102 はステム嵌合部ｙ内に嵌合し、各押圧突起８によりステム102 を押圧することにより内蔵吐出弁が開弁し、残ガスが噴出孔９を介してキャップ本体A1内に排出される。キャップ本体A1内に噴出されたガスは各窓孔７より外部へ排出される。この際、エアゾール容器Ｂ内に液が残っていた場合には残ガスと一緒に噴出され、噴出された液が下方の液吸収部材Ｄに吸収される。
【００２６】
図５は他の例を示すもので、キャップ本体A1は、周壁２内上端部の蓋板20の肉厚程度低い位置に頂壁３を横設している。頂壁３には排出ガスを外部を排出する排出口12を穿設している。また、頂壁３にはエアゾール容器Ｂの上端部が嵌合する凹部形態の容器体嵌合部ｘを設けている。容器体嵌合部ｘは、頂壁３中央部を所定の大きさに下方へ凹ませた円形凹部として画成している。
【００２７】
容器体嵌合部ｘの中央には、図１の例と同様のステム嵌合部ｙを凹設している。ステム嵌合部ｙは底部に一対の押圧突起８を突設し、また、各押圧突起８の両側の対向する底部に一対の噴出孔９を穿設している。また、押圧突起８はステム102 を嵌合させた際に、ステム102 を所定の押込み幅で押し込める如く構成している点は図１の例と同様である。また、周壁２の内周には図１の例と同様の蓋体A2の係止手段としての係止リブ10と、係止突起11とを突設している。
【００２８】
蓋体A2は、周縁部を容器体嵌合部ｘ以外の頂壁３上面上に載置して嵌合させた蓋板20と、蓋板20の下面から垂設し、容器体嵌合部ｘに嵌合する筒部21とを備えている。また、筒部21内には説明書Ｅを収納している。更に、蓋体A2の係止はシュリンクフィルムＦにより行っている。
【００２９】
この例の場合、エアゾール容器Ｂ内の液が無くなったと判断した場合に、図５の状態からエアゾールキャップＡを取り外し、次いで、シュリンクフィルムＦを取り外せば、蓋体A2はキャップ本体A1上に載置されているだけなので簡単に取り外すことができる。また、説明書Ｅは使用当初から使用して現時点では不要であるため取り除き、蓋体A2を逆さまにしてその周縁部を各係止リブ10と係止突起11との間に挟持させ、図６に示す如く、キャップ本体A1に装着する。そして、噴出ヘッドＣを外したエアゾール容器Ｂを倒立させ、エアゾール容器Ｂの上端部を容器体嵌合部ｘに嵌合させる。この場合はエアゾール容器Ｂの上端部外周が容器体嵌合部ｘ内周に密嵌する如く構成されており、安定した状態で嵌合される。
【００３０】
また、ステム102 はステム嵌合部ｙ内に嵌合し、各押圧突起８によりステム102 を押圧することにより内蔵吐出弁が開弁し、残ガスが噴出孔９を介してキャップ本体A1内に排出される。キャップ本体A1内に噴出されたガスは各排出口12より外部へ排出される。この際、エアゾール容器Ｂ内に液が残っていた場合には残ガスと一緒に噴出され、噴出された液が下方の蓋板20上の主として筒部21内に収納される。
【図面の簡単な説明】
【００３１】
【図１】エアゾールキャップの縦断面図である。（実施例１）
【図２】エアゾールキャップの縦断面図である。（実施例１）
【図３】エアゾールキャップのキャップ本体の平面図である。（実施例１）
【図４】エアゾールキャップの使用を説明する説明図である。（実施例１）
【図５】エアゾールキャップの縦断面図である。（実施例２）
【図６】エアゾールキャップの使用を説明する説明図である。（実施例２）
【符号の説明】
【００３２】
Ａ…エアゾールキャップ
A1…キャップ本体
２…周壁，３…頂壁，４…凹部，4a…円形部，4b…放射状部，５…係止板，
６…係止突条，７…窓孔，８…押圧突起，９…噴出孔，10…係止リブ，
11…係止突起，12…排出口，ｘ…容器体嵌合部，ｙ…ステム嵌合部
A2…蓋体
20…蓋板，21…筒部，22…押圧板，23…係合突条
Ｂ…エアゾール容器
100 …胴部，101 …下向き段部，102 …ステム
Ｃ…噴出ヘッド
Ｄ…液吸収部材
Ｅ…説明書
Ｆ…シュリンクフィルム
【図１】
0005035847.tif 000002
【図２】
0005035847.tif 000003
【図３】
0005035847.tif 000004
【図４】
0005035847.tif 000005
【図５】
0005035847.tif 000006
【図６】
0005035847.tif 000007